(57)【要約】      （修正有）【課題】左右両測定杆の展開時に内角測定時の角度目盛測定を仕易くし、開先角度測定作業後にコンパクト化して収納する内角度分度板を提供する。【解決手段】同長の左右の測定杆１、２の先端部を連結ピン１０で軸止し、左測定杆１の他端部に指標部４付き接続杆３の一端部とを連結ピン１０で軸止し、右測定杆２の他端部と９０度タイプの角度測定板５の表面部５ａに設けた角度目盛７が左右測定杆１、２の開先角度に従って左右測定杆１、２間の角度測定板５一端部と連結ピン１０にて接続し、角度測定板５の下辺部１１と垂直辺部１２の交叉部１３と指標部４付き接続杆３の他端部とを連結ピン１０にて接続し、つまみ部９付きねじ軸を角度測定板５の内側に形成のガイド孔６から指標部４付き接続杆３に貫通し角度測定板５と接続杆３とを接続する。角度測定板５が前記左測定板１と右測定板２と前記接続杆３の間に位置可能で全体が四辺形状となるように組立てられる。【選択図】図１
0003172186.tif 000002
【実用新案登録請求の範囲】
【請求項１】
長さが同じ左測定杆１と右測定杆２の先端部を連結ピン１０で軸止し、前記左測定杆１の他端部に指標部４付き連結杆３の一端部とを連結ピン１０で軸止し、前記右測定杆２の他端部と９０度タイプの角度測定板５の表面部５ａに設けた角度目盛７が前記左測定杆１と前記右測定杆２の開先角度が漸次大きくなるに従って前記左測定杆１と前記右測定杆２の間に内挿するように前記角度測定板５の一端部とを連結ピン１０にて接続し、前記角度測定板５の下辺部１１と垂直辺部１２との交叉部１３と前記指標部４付き接続杆３の他端部とを連結ピン１０にて接続し、つまみ部９付きねじ軸１４を前記角度測定板５の内側に形成のガイド孔６から前記指標部４付き接続杆３に貫通し前記角度測定板５と前記接続杆３とを接続し、前記左測定杆１と右測定杆２を最大限に展開すると、前記角度測定板５が前記左測定板１と前記右測定板２と前記接続杆３の間に位置し、全体が四辺形状となるように組立てられることを特徴とする内角度分度板。
【請求項２】
前記左測定杆１は、前記右測定杆２の上方に位置し、前記接続杆３は前記左測定杆１の下方に位置し、前記角度測定板５は前記右測定杆２と前記接続杆３の上方に位置し組立てられることを特徴とする請求項１に記載の内角度分度板。
【請求項３】
前記左測定板１と前記右測定板２の外側面が直線状測定部１ａ、２ａとなっていることを特徴とする請求項１又は同２に記載の内角度分度板。
【考案の詳細な説明】
【技術分野】
【０００１】
本考案は、小物の角度付け溶接等の測定及び設定に適している内角度分度板の分野に関するものである。
【背景技術】
【０００２】
従来、開先測定器として実開平６−６２３０１公開実用新案公報が開示されている。
【０００３】
この開先測定器は、各測定板１、２を直角状に折り畳むと連結杆４と測定杆１に接続している表示板３が、前記公報の図３等に図示されているように、連結杆４の上方部に位置し、使用済み後の整理整頓時に空間占拠率が著しく大きくなる弊害があった。
【０００４】
さらに、前記従来開示の開先測定器は、前記表示板３が前記公報の図１に図示されているように、前記連結杆４の上方部に位置し、そのため作業測定時に前記表示板３等がつかみにくく、作業性が余り良くなかった。
【０００５】
また、前記従来開示の開先測定器は、前記表示板３が前記連結杆４の上方部に位置しているので、材料１０、１０の開先角度の測定時に測定目盛の表示部３ａが外側方向を向いており測定がしにくかった。
【先行技術文献】
【特許文献】
【０００６】
【特許文献１】実開平６−６２３０１公開実用新案公報
【考案の概要】
【考案が解決しようとする課題】
【０００７】
本考案は、左右両測定杆の展開時において、角度測定板の目盛の表示方向が常時２つの測定杆の軸止め方向に表示されているので、内角測定時の角度目盛測定が仕易くなった。
【０００８】
さらに本考案の解決課題は、開先角度測定作業後において、前記角度測定板が前記左右両測杆間に介在し、全体が四辺形状になるので、コンパクト化して収納することができる。
【０００９】
また本考案は、小物の角度付け溶接等の測定及び設定に適するようにした。
【課題を解決するための手段】
【００１０】
上記課題を解決するための手段としての請求項１記載の考案は、長さが同じ左測定杆１と右測定杆２の先端部を連結ピン１０で軸止し、前記左測定杆１の他端部に指標部４付き連結杆３の一端部とを連結ピン１０で軸止し、前記右測定杆２の他端部と９０度タイプの角度測定板５の表面部５ａに設けた角度目盛７が前記左測定杆１と前記右測定杆２の開先角度が漸次大きくなるに従って前記左測定杆１と前記右測定杆２の間に内挿するように前記角度測定板５の一端部とを連結ピン１０にて接続し、前記角度測定板５の下辺部１１と垂直辺部１２との交叉部１３と前記指標部４付き接続杆３の他端部とを連結ピン１０にて接続し、つまみ部９付きねじ軸１４を前記角度測定板５の内側に形成のガイド孔６から前記指標部４付き接続杆３に貫通し前記角度測定板５と前記接続杆３とを接続し、前記左測定杆１と右測定杆２を最大限に展開すると、前記角度測定板５が前記左測定板１と前記右測定板２と前記接続杆３の間に位置し、全体が四辺形状となるように組立てられることを特徴とする内角度分度板である。
【００１１】
上記課題を解決するための手段としての請求項２記載の考案は、前記左測定杆１は、前記右測定杆２の上方に位置し、前記接続杆３は前記左測定杆１の下方に位置し、前記角度測定板５は前記右測定杆２と前記接続杆３の上方に位置し組立てられることを特徴とする請求項１に記載の内角度分度板である。
【００１２】
上記課題を解決するための手段としての請求項３記載の考案は、前記左測定板１と前記右測定板２の外側面が直線状測定部１ａ、２ａとなっていることを特徴とする請求項１又は同２に記載の内角度分度板である。
【考案の効果】
【００１３】
請求項１記載の考案は、長さが同じ左測定杆１と右測定杆２の先端部を連結ピン１０で軸止し、前記左測定杆１の他端部に指標部４付き連結杆３の一端部とを接続ピン１０で軸止し、前記右測定杆２の他端部と９０度タイプの角度測定板５の表面部５ａに設けた角度目盛７が前記左測定杆１と前記右測定杆２の開先角度が漸次大きくなるに従って前記左測定杆１と前記右測定杆２の間に内挿するように前記角度測定板５の一端部とを連結ピン１０にて接続し、前記角度測定板５の下辺部１１と垂直辺部１２との交叉部１３と前記指標部４付き接続杆３の他端部とを連結ピン１０にて接続し、つまみ部９付きねじ軸１４を前記角度測定板５の内側に形成のガイド孔６から前記指標部４付き接続杆３に貫通し前記角度測定板５と前記接続杆３とを接続し、前記左測定杆１と右測定杆２を最大限に展開すると、前記角度測定板５が前記左測定板１と前記右測定板２と前記接続杆３の間に位置し、全体が四辺形状となるように組立てられることを特徴とする内角度分度板なので、内角測定時の角度目盛測定が極めて簡易且迅速にできる。
【００１４】
さらに本考案は、空間占拠率が小さくできるので、コンパクト化して収納できる。
【００１５】
請求項２記載の考案は、前記左測定杆１は、前記右測定杆２の上方に位置し、前記接続杆３は前記左測定杆１の下方に位置し、前記角度測定板５は前記右測定杆２と前記接続杆３の上方に位置し組立てられることを特徴とする請求項１に記載の内角度分度板なので、前記請求項１記載の考案と同じ効果を有している。
【００１６】
請求項３記載の考案は、前記左測定板１と前記右測定板２の外側面が直線状測定部１ａ、２ａとなっていることを特徴とする請求項１又は同２に記載の内角度分度板なので、前記請求項１記載の考案と同じ効果を有している。
【図面の簡単な説明】
【００１７】
【図１】本考案内角度分度板の使用状態の正面図である。
【００１８】
【図２】同収納時の正面図である。
【００１９】
【図３】図２の背面図である。
【００２０】
【図４】同平面図である。
【００２１】
【図５】同右側面図である。
【考案を実施するための最良の形態】
【００２２】
請求項１〜３に記載の考案の実施の形態は共通しているので、一括して以下のとおり説明する。
【００２３】
図において、１は左測定杆、２は前記前記左測定杆１と長さが同じ右測定杆である。前記両杆１、２の先端部を連結ピン１０で軸止する。
【００２４】
前記左測定板１の外側面には、直線状測定部１ａを、前記右測定板２の外側面は、直線状測定部２ａを形成する。
【００２５】
さらに、前記左測定杆１の他端部には、指標部４付き連結杆３の一端部とを接続ピン１０で軸止する。
【００２６】
そして、前記右測定杆２の他端部と９０度タイプの角度測定板５の表面部５ａに設けた角度目盛７が、前記左測定杆１と前記右測定杆２の開先角度が漸次大きくなるに従って前記左測定杆１と前記右測定杆２の間に内挿するように前記角度測定板５の一端部とを連結ピン１０にて接続する。
【００２７】
また、前記角度測定板５の下辺部１１と垂直辺部１２との交叉部１３と前記指標部４付き接続杆３の他端部とを連結ピン１０にて接続する。
【００２８】
さらに、つまみ部９付きねじ軸１４を前記角度測定板５の内側に形成のガイド孔６から前記指標部４付き接続杆３に貫通し、さらに前記角度測定板５と前記接続杆３とを接続する。
【００２９】
そのため、前記左測定杆１と右測定杆２を最大限に展開すると、前記角度測定板５が前記左測定板１と前記右測定板２と前記接続杆３の間に位置し、全体が四辺形状となる（図２）。
【００３０】
また、本考案は、上記の各構成部材を組立てるには、前記左測定杆１を、前記右測定杆２の上方に位置し、且前記接続杆３を前記左測定杆１の下方に位置し、連結ピン１０をもって接続する。さらに前記角度測定板５は前記右測定杆２と前記接続杆３の上方に位置し連結ピン１０をもって組立てる。
【００３１】
１５はワッシャーである。
【００３２】
以上のようにして組立てた内角度分度板は、測定部材ａの凹部内に、図１のように変形し嵌挿させ測定する。
【符号の説明】
【００３３】
ａ      測定部材
１      左測定杆
１ａ    直線状測定部
２      右測定杆
２ａ    直線状測定部
３      接続杆
４      指標部
５      角度測定板
５ａ    表面部
５ｂ    裏面部
６      ガイド孔
７      角度目盛
９      つまみ部
１０    連結ピン
１１    下辺部
１２    垂直辺部
１３    交叉部
１４    ねじ軸
１５    ワッシャー
【図１】
0003172186.tif 000003
【図２】
0003172186.tif 000004
【図３】
0003172186.tif 000005
【図４】
0003172186.tif 000006
【図５】
0003172186.tif 000007